(57)【要約】【課題】本発明の課題は、キー入力データ送信時の信頼性を向上させることのできるワイヤレスキーボード装置を提供することである。【解決手段】上記課題は、キーボード上のキー操作に伴うキー入力情報を無線信号化して端末装置に送信するワイヤレスキーボード装置において、アンテナを複数設け、前記各キー操作に対応したキー入力情報を、送信するごとに、前記複数のアンテナのうちのいずれにより送信させる第１送信手段を備えたことを特徴とするワイヤレスキーボード装置にて解決される。【選択図】　図２
2004118416.tif 000002
【特許請求の範囲】
【請求項１】
キーボード上のキー操作に伴うキー入力情報を無線信号化して端末装置に送信するワイヤレスキーボード装置において、
アンテナを複数設け、
前記各キー操作に対応したキー入力情報を、送信するごとに、前記複数のアンテナのうちのいずれにより送信させる第１送信手段を備えたことを特徴とするワイヤレスキーボード装置。
【請求項２】
請求項１記載のワイヤレスキーボード装置において、
前記第１送信手段は、前記各キー操作に対応したキー入力情報の送信ごとに、当該キー入力情報を異なるアンテナから送信させることを特徴とするワイヤレスキーボード装置。
【請求項３】
請求項２記載のワイヤレスキーボード装置において、
前記第１送信手段は、前記各キー操作に対応したキー入力情報を、所定の時間間隔にしたがって異なるアンテナより送信させることを特徴とするワイヤレスキーボード装置。
【請求項４】
キーボード上のキー操作に伴うキー入力情報を無線信号化して端末装置に送信するワイヤレスキーボード装置において、
アンテナを複数設け、
前記各キー操作に対応したキー入力情報を、前記端末装置からの指示に基づいて前記複数のアンテナのうちのいずれにより送信させる第２送信手段を備えたことを特徴とするワイヤレスキーボード装置。
【請求項５】
請求項１乃至４いずれか１項記載のワイヤレスキーボード装置において、
前記複数設けられるアンテナは、配置または特性が異なることを特徴とするワイヤレスキーボード装置。
【請求項６】
入力情報を無線信号化して端末装置に送信するワイヤレス機器において、
アンテナを複数設け、
前記入力情報を、送信するごとに、前記複数のアンテナのうちのいずれにより送信させる送信手段を備えたことを特徴とするワイヤレス機器。
【発明の詳細な説明】
【０００１】
【発明の属する技術分野】
本発明は、例えば、ワイヤレスタイプのキーボード装置等のワイヤレス装置に係り、詳しくは、キーデータ送信時の信頼性を向上させることのできるワイヤレス装置に関する。
【０００２】
【従来の技術】
現在普及しているパーソナルコンピュータ（＝以下、パソコンと略記）用キーボードには、パソコン本体とケーブルでつながれている有線タイプのものと、ケーブルでつながれていない、いわゆるコードレス（＝ワイヤレス）タイプのものとがある。ワイヤレスキーボードの場合、押下されたキー（ボタン）のデータが赤外線や電波などを通じてパソコン側に伝わるようになっており、通常は、ワイヤレスキーボード内に実装されている１つのアンテナを通じて上記信号が複数回送信されるようになっている。
【０００３】
【発明が解決しようとする課題】
このように従来では、ワイヤレスキーボード内に実装されている１つのアンテナを通じてキーのデータが複数回送信されるが、アンテナの指向性により受信し難い場所が生じるといった問題があった。
【０００４】
本発明は、上記のような問題点に鑑みてなされたもので、その課題とするところは、キー入力データ送信時の信頼性を向上させることのできるワイヤレスキーボード装置を提供することである。
【０００５】
【課題を解決するための手段】
上記課題を解決するため、本発明は、請求項１に記載されるように、キーボード上のキー操作に伴うキー入力情報を無線信号化して端末装置に送信するワイヤレスキーボード装置において、アンテナを複数設け、前記各キー操作に対応したキー入力情報を、送信するごとに、前記複数のアンテナのうちのいずれにより送信させる第１送信手段を備えたことを特徴としている。
【０００６】
請求項２記載の本発明は、前記ワイヤレスキーボード装置において、前記第１送信手段は、前記各キー操作に対応したキー入力情報の送信ごとに、当該キー入力情報を異なるアンテナから送信させることを特徴としている。
【０００７】
請求項３記載の本発明は、前記ワイヤレスキーボード装置において、前記第１送信手段は、前記各キー操作に対応したキー入力情報を、所定の時間間隔にしたがって異なるアンテナより送信させることを特徴としている。
【０００８】
請求項４記載の本発明は、キーボード上のキー操作に伴うキー入力情報を無線信号化して端末装置に送信するワイヤレスキーボード装置において、アンテナを複数設け、前記各キー操作に対応したキー入力情報を、前記端末装置からの指示に基づいて前記複数のアンテナのうちのいずれにより送信させる第２送信手段を備えたことを特徴としている。
【０００９】
請求項５記載の本発明は、前記ワイヤレスキーボード装置において、前記複数設けられるアンテナは、配置または特性が異なることを特徴としている。
【００１０】
また、本発明は、請求項６に記載されるように、入力情報を無線信号化して端末装置に送信するワイヤレス機器において、アンテナを複数設け、前記入力情報を、送信するごとに、前記複数のアンテナのうちのいずれにより送信させる送信手段を備えたことを特徴としている。
【００１１】
本発明の構成によれば、アンテナを複数設け、指向性の異なるアンテナから同一のデータを送信するので、受信環境における不感地帯を解消することができ、ワイヤレスキーボードの位置ならびに端末装置−ワイヤレスキーボード装置間の距離等の影響を受けにくいワイヤレスキーボード装置を実現することができる。
【００１２】
【発明の実施の形態】
以下、本発明の実施の形態を図面に基づいて説明する。
【００１３】
図１は本発明の一実施例による基本構成を示すものである。
【００１４】
同図において、１００は端末装置（例：パーソナルコンピュータ）、２００は本発明に係るワイヤレスキーボード装置である。このワイヤレスキーボード装置２００には、通常のキーボードと同様、英数字キーや実行／送信キーの他に各種ファンクションキーが備えられ、キー操作に応じたデータ（以下、キー入力データという）が無線区間を介して端末装置１００へと送られる。端末装置１００では、ワイヤレスキーボード装置から送信されてきたキー入力データを専用の受信機で受信し、データ内容にしたがって処理をしたり表示等をしたりする。また、本発明のワイヤレスキーボード装置２００には、キー入力データ送信用のアンテナが複数備えられており（本例では、アンテナＡ、Ｂの２つのアンテナが搭載されているものとする）、キー入力データは、送信ごとにアンテナＡ、Ｂのいずれかにて送信（実線、点線）されるようになっている。
【００１５】
図２は、図１に示すワイヤレスキーボード装置２００の概略構成を示す図である。同図において、このワイヤレスキーボード装置２００は、アンテナＡ１１、１２Ｂ、ワイヤレス送受信部１３、制御部１４、キー入力部１５により構成される。キー入力部１５にてキー操作されたキー入力データは、制御部１４を介してワイヤレス送受信部１３に送出された後、変調、周波数変換等の処理が施される。その後、キー入力データを送信するごとに、上記アンテナＡ１１、Ｂ１２のいずれかのアンテナから無線周波数信号に変換されたキー入力データが空間放射され端末装置１００側へ送られる。上記一アンテナで形成される指向特性は、例えば、図２に示すように８の字パターンが形成される。本発明では、このような８の字パターンを形成するアンテナを２つ（本例では、アンテナＡ１１、Ｂ１２）具備し、互いのアンテナの向きを変えて配置するようにしている。これにより、図３に示すような指向特性が得られる。図３は、８の字パターンをもつ２つのアンテナの向きを変えて配置した場合の指向特性を示す図である。この例は、アンテナ１を３０度の向きに、アンテナ２を３３０度の向きに配置したときの指向特性を示すものである。通常、キー入力データは、複数回送信される。本実施形態では、キー入力データを送信するごとに、送信アンテナを切り替え、異なるアンテナから送信するようにしている。すなわち、キー入力データは、図４に示すようなアンテナ１、２を合成した指向特性をもつアンテナから送信されたものと等価（全方位に対して一定の指向特性を持つ）となり、従来のように１つのアンテナのみでは受信側において、不感地帯となってしまうエリアを補うことができ、キー入力データ送信の信頼性を高めることができる。なお、受信側の端末装置１００では、同じデータを連続して受信した場合、ワイヤレスキーボード装置より複数回送信されたデータとみなしてこれを無視する。
【００１６】
上述したように、本実施形態によれば、アンテナを複数設け、指向性の異なるアンテナから同一のデータを送信するので、受信環境における不感地帯を解消することができ、ワイヤレスキーボードの位置ならびに端末装置−ワイヤレスキーボード装置間の距離等の影響を受けにくいワイヤレスキーボード装置を実現することができる。
【００１７】
上記実施形態では、同じ指向特性をもつ２つのアンテナの向きを変えることで、
受信環境における不感地帯を解消するようパターンを形成するというものであったが、本発明はこのような実施形態に限定されるものではない。例えば、異なる指向特性を持つアンテナを２つ用いれば、図４に示すような指向特性を容易に形成することができる。この場合、アンテナの配置（向き）に係る条件が緩和されるので、結果として両アンテナを小スーペース内に実装することができる。その結果、装置の小型化が図れるといった利点がある。
【００１８】
また、上記実施形態では、キー入力データの送信をアンテナ１、２より交互に送信するような形態であったが、これ以外にも、ある時間間隔でアンテナ１、２を切り替えて、キー入力データを送信するような形態であってもかまわない。この場合、時間ダイバーシティ効果を得ることができる。さらに、端末装置１００側からのアンテナ切り替え指令に基づいて、アンテナ１、２を切り替え、キー入力データを送信するような形態であってもよい。この場合、端末装置１００側は、ワイヤレスキーボード装置２００から送信されるキー入力データの信号の無線品質を測定し、その測定結果をもとにどのアンテナより送信すれば良好な感度が得られるかを判定し、結果をワイヤレスキーボード装置２００に伝える。これにより、ワイヤレスキーボード装置２００と端末装置１００間の現在の伝搬環境に応じたキー入力データの送信が可能となり、キー入力データ送信時の信頼性を向上させることができる。
【００１９】
また、上記実施形態では、ワイヤレス入力機器の一例として、ワイヤレスキーボード装置を例に取り上げて説明したが、同装置以外にも本発明の主旨を逸脱しない範囲で他の入力機器についても適用することが可能である。例えば、ワイヤレスマウス、リモコン、パッド、ゲームコントローラ等にも適用することができる。
【００２０】
上記例において、制御部の送信信号制御機能が第１送信手段ならびに第２送信手段に対応する。また、ワイヤレスキーボード装置以外のワイヤレス機器の送信信号送信制御機が送信手段に対応する。
【００２１】
【発明の効果】
以上、説明したように、本願発明によれば、アンテナを複数設け、指向性の異なるアンテナから同一のデータを送信するので、受信環境における不感地帯を解消することができ、ワイヤレスキーボードの位置ならびに端末装置−ワイヤレスキーボード装置間の距離等の影響を受けにくいワイヤレスキーボード装置を実現することができる。
【００２２】
【図面の簡単な説明】
【図１】本発明の一実施例による基本構成を示す図である。
【図２】図１に示すワイヤレスキーボード装置の概略構成図である。
【図３】ワイヤレスキーボード装置に搭載される一アンテナの指向特性例を示すある。
【図４】アンテナ１を３０度の向きに、アンテナ２を３３０度の向きに配置したときの指向特性例を示す図である。
【図５】図４に示す指向特性を合成した指向特性を示す図である。
【符号の説明】
１１　アンテナＡ
１２　アンテナＢ
１３　ワイヤレス送受信部
１４　制御部
１５　キー入力部
１００　端末装置
２００　ワイヤレスキーボード装置
【図１】
2004118416.tif 000003
【図２】
2004118416.tif 000004
【図３】
2004118416.tif 000005
【図４】
2004118416.tif 000006
【図５】
2004118416.tif 000007